(57)【要約】【課題】陳列室外まで棚を引き出せるようにした場合でも、回動式の扉が傷つく不都合を解消したショーケースを提供する。【解決手段】下部ショーケース２は、本体４内に構成された陳列室８と、この陳列室８の開口８Ａを開閉自在に閉塞する回動式の扉９と、陳列室８内にスライド自在に架設された棚１２とを備え、棚１２を開口から陳列室８外まで引き出し可能とされたものであって、棚１２が引き出されたときに当接する位置の扉９内面に設けられ、当該扉９の回動軸側に鈍角を成して突出する突部５１を備えた。【選択図】図３
2014142081.tif 000002
【特許請求の範囲】
【請求項１】
本体内に構成された陳列室と、該陳列室の開口を開閉自在に閉塞する回動式の扉と、前記陳列室内にスライド自在に架設された棚とを備え、前記棚を前記開口から前記陳列室外まで引き出し可能とされたショーケースであって、
前記棚が引き出されたときに当接する位置の前記扉内面に設けられ、当該扉の回動軸側に鈍角を成して突出する突部を備えたことを特徴とするショーケース。
【請求項２】
前記扉は、透明板と、該透明板の周囲を囲繞するサッシュから成る扉板を備え、
前記突部は、前記回動軸側の前記サッシュに一体に形成されていることを特徴とする請求項１に記載のショーケース。
【請求項３】
前記突部は、前記サッシュの内面を斜めに折曲することにより形成されていることを特徴とする請求項２に記載のショーケース。
【請求項４】
前記扉は、観音開き式の二枚の扉板から成り、各扉板に前記突部が形成されていることを特徴とする請求項１乃至請求項３のうちの何れかに記載のショーケース。
【請求項５】
請求項１乃至請求項４のうちの何れかのショーケースから成る下部ショーケースと、該下部ショーケースの前記本体上に載置されて当該本体に連結される上部ショーケースとから成り、
前記下部ショーケースは、店舗のレジカウンタに並設、若しくは、レジカウンタ間に介設され、前記陳列室は後面に前記開口を有することを特徴とする商品陳列装置。
【請求項６】
前記上部ショーケースは、下部後面に着脱可能なカバーを有し、前部が係合により、後部がネジにより前記下部ショーケースの前記本体に取り付けられる連結具にて当該本体に連結されることを特徴とする請求項５に記載の商品陳列装置。
【請求項７】
前記連結具は、前記上部ショーケースの台脚部を上から押えて当該上部ショーケースの上下の移動を規制する押さえ部と、前記上部ショーケースの台脚部内面に沿って当該上部ショーケースの前後及び左右への移動を規制する起立部とを有することを特徴とする請求項６に記載の商品陳列装置。
【発明の詳細な説明】
【技術分野】
【０００１】
本発明は、回動式の扉で開口が閉塞される陳列室内に、スライド自在の棚を架設し、このスライド棚を陳列室外まで引き出し可能としたショーケース及びそれを備えた商品陳列装置に関するものである。
【背景技術】
【０００２】
従来よりコンビニエンスストア等の店舗には、冷蔵商品や、揚げ物、焼き物等の総菜（常温又は温蔵商品）を陳列するショーケースがレジカウンタ上に設けられている（例えば、特許文献１参照）。また、下部に保管室を、上部に陳列室を構成し、保管室部分はレジカウンタに並設させるショーケースも開発されている（例えば、特許文献２参照）。
【先行技術文献】
【特許文献】
【０００３】
【特許文献１】特開２００１−１３３１３３号公報
【特許文献２】特開２００９−１８６０４９号公報
【特許文献３】特開平８−１１２１７１号公報
【特許文献４】特開２０１１−１５２１８６号公報
【発明の概要】
【発明が解決しようとする課題】
【０００４】
しかしながら、前記特許文献２のようなショーケースでは、保管室は商品をストックするのみに止まる。そこで、レジカウンタに並設される高さの部分もショーケースとし（即ち、特許文献２の保管室部分でも商品を陳列する）、後面から商品を出し入れしようとすると、低い位置での操作となるために作業が極めて面倒となる。
【０００５】
そこで、このレジカウンタに並設されるショーケースの陳列室内にスライド式の棚を架設し、例えば特許文献３のように陳列室外（この場合、開口は後面となる）まで引き出せるようにすれば、商品の出し入れ作業が極めて容易となる。しかし、陳列室の開口面積を大きくとるために特許文献４のような回動式の扉とした場合には、扉が半開きとなっている状態で棚が引き出されると、棚の隅角部が扉の内面に衝突してしまい、扉を構成するガラス等を傷つけてしまう問題が生じる。
【０００６】
本発明は、係る従来の技術的課題を解決するために成されたものであり、陳列室外まで棚を引き出せるようにした場合でも、回動式の扉が傷つく不都合を解消したショーケース及びそれを備えた商品品列装置を提供することを目的とする。
【課題を解決するための手段】
【０００７】
上記課題を解決するために、本発明のショーケースは、本体内に構成された陳列室と、この陳列室の開口を開閉自在に閉塞する回動式の扉と、陳列室内にスライド自在に架設された棚とを備え、棚を開口から陳列室外まで引き出し可能とされたものであって、棚が引き出されたときに当接する位置の扉内面に設けられ、当該扉の回動軸側に鈍角を成して突出する突部を備えたことを特徴とする。
【０００８】
請求項２の発明のショーケースは、上記発明において扉は、透明板と、この透明板の周囲を囲繞するサッシュから成る扉板を備え、突部は、回動軸側のサッシュに一体に形成されていることを特徴とする。
【０００９】
請求項３の発明のショーケースは、上記発明において突部は、サッシュの内面を斜めに折曲することにより形成されていることを特徴とする。
【００１０】
請求項４の発明のショーケースは、上記各発明において扉は、観音開き式の二枚の扉板から成り、各扉板に突部が形成されていることを特徴とする。
【００１１】
請求項５の発明の商品陳列装置は、上記各発明のショーケースから成る下部ショーケースと、この下部ショーケースの本体上に載置されて当該本体に連結される上部ショーケースとから成り、下部ショーケースは、店舗のレジカウンタに並設、若しくは、レジカウンタ間に介設され、陳列室は後面に開口を有することを特徴とする。
【００１２】
請求項６の発明の商品陳列装置は、上記発明において上部ショーケースは、下部後面に着脱可能なカバーを有し、前部が係合により、後部がネジにより下部ショーケースの本体に取り付けられる連結具にて当該本体に連結されることを特徴とする。
【００１３】
請求項７の発明の商品陳列装置は、上記発明において連結具は、上部ショーケースの台脚部を上から押えてこの上部ショーケースの上下の移動を規制する押さえ部と、上部ショーケースの台脚部内面に沿って当該上部ショーケースの前後及び左右への移動を規制する起立部とを有することを特徴とする。
【発明の効果】
【００１４】
本発明によれば、本体内に構成された陳列室と、この陳列室の開口を開閉自在に閉塞する回動式の扉と、陳列室内にスライド自在に架設された棚とを備え、棚を開口から陳列室外まで引き出し可能とされているので、請求項５の如くレジカウンタに並設、若しくは、介設される場合にも、陳列室内の棚に陳列した商品の出し入れ作業が容易となる。
【００１５】
この場合、棚が引き出されたときに当接する位置の扉内面には、当該扉の回動軸側に鈍角を成して突出する突部を設けているので、扉が半開きの状態で棚が陳列室外に引き出されたときには、この突部に棚が当接することになる。これにより、請求項２の如き扉板の透明板に引き出された棚の隅角部が衝突して傷が付く不都合も解消される。
【００１６】
また、突部は回動軸側に鈍角を成して扉の内面から突出しているので、この突部に棚が当接することで、扉は円滑に押し開けられることになり、棚の引き出し作業も円滑化されるものである。
【００１７】
また、請求項２の発明の如く扉が透明板と、この透明板の周囲を囲繞するサッシュから成る場合に、突部を、回動軸側のサッシュに一体に形成することにより、扉の部品点数の削減と組立作業性の向上を図ることが可能となる。
【００１８】
更に、請求項３の発明の如く突部を、サッシュの内面を斜めに折曲することにより形成することにより、サッシュの構造も簡素化される。
【００１９】
そして、請求項４の発明の如く扉が、観音開き式の二枚の扉板から成る場合には、各扉板に突部を形成することで、各扉板の傷つきを未然に回避することが可能となる。
【００２０】
また、請求項５の発明の商品陳列装置は、上記各発明のショーケースから成る下部ショーケースと、この下部ショーケースの本体上に載置されて当該本体に連結される上部ショーケースとから成り、下部ショーケースは、店舗のレジカウンタに並設、若しくは、レジカウンタ間に介設され、陳列室は後面に開口を有するようにしたので、レジカウンタの並びで下部ショーケースにより商品を陳列し、レジカウンタ後側で商品の出し入れを行うことが可能となり、商品販売効果を著しく改善することが可能となる。
【００２１】
このとき、上部ショーケースは従来のレジカウンタ上に設ける場合と同様に配置されることになるので、レジの並びでも支障無く商品を陳列することが可能となるものである。
【００２２】
この場合、請求項６の発明の如く上部ショーケースの下部後面に着脱可能なカバーを設け、前部が係合により、後部がネジにより下部ショーケースの本体に取り付けられる連結具にて本体に連結するようにすれば、上部ショーケースのカバーを取り外した状態で連結具の前部を係合し、その後、後部をネジ止めすることで、下部ショーケースの本体と上部ショーケースとの連結を極めて容易に行うことができるようになる。
【００２３】
また、請求項７の発明の如く連結具に、上部ショーケースの台脚部を上から押えて上部ショーケースの上下の移動を規制する押さえ部と、上部ショーケースの台脚部内面に沿って当該上部ショーケースの前後及び左右への移動を規制する起立部を設ければ、下部ショーケースの本体に対する上部ショーケースのずれを防止し、両者を極めて安定的に連結することができるようになるものである。
【図面の簡単な説明】
【００２４】
【図１】本発明を適用した実施例の商品陳列装置の後方斜視図である。
【図２】図１の商品陳列装置を構成する下部ショーケースと上部ショーケースの連結部分の縦断側面図である。
【図３】図１の商品陳列装置の下部ショーケース（ショーケース）の後方斜視図である。
【図４】図３の下部ショーケースの透視側面図である。
【図５】図３の下部ショーケースの平面図である。
【図６】図５の円Ａ部分の拡大図である。
【図７】図３の下部ショーケースの扉の斜視図である。
【発明を実施するための形態】
【００２５】
以下、本発明の実施の形態について、図面に基づき詳細に説明する。図１は本発明を適用した一実施形態の商品陳列装置１を後ろから見た斜視図を示している。実施例の商品陳列装置１は、コンビニエンスストア（店舗）のレジカウンタ（図５に示すＲＣ）に並設、若しくは、レジカウンタＲＣ間に介設されるもので、本発明におけるショーケースとしての下部ショーケース２と、この下部ショーケース２上に載置されて連結された上部ショーケース３とから構成されている。
【００２６】
実施例の下部ショーケース２は所謂常温で焼き物や揚げ物等の総菜（商品）を陳列するショーケースであり、実施例の上部ショーケース３は同様の商品を加温しながら陳列するショーケースである。下部ショーケース２は金属板から構成された前後が開口する筐体である本体４と、この本体４の前部に取り付けられた透明な前ガラス板６、及び、左右ガラス板７、７の内部に陳列室８が構成されている。前ガラス板６は上部から前部に渡る湾曲した形状を呈し、陳列室８の前面を閉塞しているが、陳列室８は後面が開口しており、この開口８Ａは左右の扉板１１、１１から成る観音開き式の扉９により開閉自在に閉塞されている。尚、この扉９については後に詳述する。
【００２７】
また、下部ショーケース２の陳列室８内には、商品陳列用の金属板から成る上下二段の棚１２、１２が架設されている。各棚１２はレール１３により前後方向にスライド自在とされており、扉９を開放した状態で、陳列室８外の後方まで引き出し可能とされている（図３、図４）。また、この陳列室８内上部と下段の棚１２下側には照明灯１４、１４の他、陳列室８内を換気するためのファン１６が取り付けられている。図３の１７はこのファン１６によって外部排出される空気の排気口であり、本体４の側面上部に形成されている。尚、図３の１８、１９は本体４の下部後面のカバー２１に設けられた照明灯１４及びファン１６のオン／オフスイッチである。
【００２８】
下部ショーケース２の幅寸法は７００ｍｍ〜８００ｍｍ、前後寸法は６００ｍｍ〜７００ｍｍ、高さ寸法は５００ｍｍ〜６００ｍｍとする。実施例では、幅約寸法は８００ｍｍ、前後寸法は下部で７００ｍｍ、上部で６２０〜６３０ｍｍ、高さ寸法は５００ｍｍとしている。ここで、コンビニエンスストアのレジカウンタＲＣの高さ寸法は通常７００ｍｍ〜９００ｍｍ、前後寸法は６００ｍｍ程であるので、下部ショーケース２の寸法を上記の如く設定することで、図５に示すように例えばレジカウンタＲＣとＲＣとの間に介設することができるようになる。また、上記のような高さ寸法とすることで、後述する上部ショーケース３が、レジカウンタＲＣ上に配置した場合と同様（若しくは、少許下がった状態）に下部ショーケース２上に配置されることになる。
【００２９】
尚、レジカウンタＲＣの端部に並設してもよい。また、このとき前ガラス板６、及び、左右ガラス板７、７の上部はレジカウンタＲＣの前端と略同じ位置に来るが、下部はレジカウンタＲＣから前側に少許張り出したかたちとなる。そして、それらを介して陳列室８内は前側から透視可能とされる。
【００３０】
一方、上部ショーケース３は金属板から構成されたフレーム状の本体２２と、この本体２２の上部から前部に渡る透明な前ガラス板２３、及び、左右ガラス板２４、２４の内部に陳列室が構成されている。陳列室内にも図示しないが商品陳列用の棚が架設される。また、陳列室の後面開口は透明ガラス製の扉板２７、２７から成る観音開き式の扉２６により開閉自在に閉塞されている。
【００３１】
尚、上部ショーケース３の陳列室内には図示しないランプヒータや電気ヒータが取り付けられ、商品を加温しながら陳列する。図１の２８は本体２２の下部後面に着脱可能に取り付けられたカバーであり、このカバー２８にはランプヒータ等のオン／オフスイッチ２９も設けられている。
【００３２】
図２はこれら下部ショーケース２と上部ショーケース３の連結構造を示している。この図において３１は連結具であり、３２は上部ショーケース３の台脚部（３Ａで示す）に取り付けられた左右に渡る補強アングルである。連結具３１は、上部ショーケース３の台脚部３の左右にそれぞれ一つずつ使用され、前後に渡る板材から成り、中央部には垂直に立ち上がった後、前方に向かい、連続して降下するかたちの押さえ部３４が形成されている。また、この押さえ部３４の前後の外縁には起立部３６、３７が立ち上がって形成されており、起立部３６の下端内側の水平部分には係合部３８が形成され、起立部３７の下端内側の水平部分にはネジ孔（図示せず）が形成されている。
【００３３】
他方、下部ショーケース２の本体４の上面前部には係合用のネジ４１が取り付けられている。上部ショーケース３を下部ショーケース２に連結する際には、レジカウンタＲＣに介在させて下部ショーケース２を据え付けた後、カバー２８を取り外した状態の上部ショーケース３を下部ショーケース２の本体４上に載置する。次に、連結具３１を上部ショーケース３の台脚部３Ａの左右にそれぞれ差し込み、補強アングル３２を跨ぐかたちで水平部分を本体４上に宛がう。その際、前部の係合部３８をネジ４１に係合させ、後部のネジ孔にネジ４２を通して本体４に螺合させる。
【００３４】
このように連結具３１を本体４に固定した状態で、押さえ部３４は上部ショーケース３の補強アングル３２を上から押さえつける。これにより、上部ショーケース３の上下方向への移動は規制される。また、各起立部３６、３７は台脚部３Ａの内面に沿うと共に、前側の起立部３６は補強アングル３２の直前に位置する。これにより、上部ショーケース３の左右及び前後への移動が規制される。そして、最後にカバー２８を本体２２に取り付ける。
【００３５】
このような連結具３１による連結により、上部ショーケース３は下部ショーケース２の本体４に安定的に連結される。また、この状態で上部ショーケース３はレジカウンタＲＣ上に設置されたときと同様に配置されることになる。尚、係る連結作業は店舗に据え付ける前（工場出荷時）に行われても良いものとする。
【００３６】
次に、主に図６，図７を参照しながら下部ショーケース２の扉９の構造について説明する。下部ショーケース２の扉９を構成する扉板１１は、透明ガラス（透明樹脂板でも良い）から成る透明板４４と、この透明板４４の周囲を囲繞する金属製（硬質樹脂でも良い）のサッシュ４６から成り、このサッシュ４６がそれぞれ回動軸４７を有する上下のヒンジ４９により本体４に回動自在に枢支される。また、サッシュ４６の非枢支側の縦辺４６Ａの縁部にはハンドル部５１が外側に折曲して形成されている。尚、扉板１１は上下方向の中央を通る水平線に対して線対象の形状を呈しており、左右の扉板１１は同一のものを反転して使用している。
【００３７】
また、サッシュ４６の枢支側の縦辺４６Ｂには、突部５１が一体に形成されている。この突部５１は、縦辺４６Ｂの内面の先端を斜めに内方（透明板４４から離間する方向）に折曲することにより形成されており、折曲の角度は、ヒンジ４９の回動軸４７側が鈍角となるものとされる（図６）。また、この突部５１は上下に渡っており、棚１２を陳列室８外に引き出した際に、その隅角部が当接する位置にあるものとする。
【００３８】
係る構成で、下部ショーケース２の棚１２上の商品を出し入れする際には、先ず、扉９の扉板１１、１１を左右に回動させて開き、棚１２を後方の陳列室８外まで引き出す。このように引き出すことにより、レジカウンタＲＣの上面より下にある下部ショーケース２の陳列室８内の商品を容易に出し入れすることができる。
【００３９】
また、このとき扉板１１、１１が半開き状態であった場合、即ち、図６に示す如く扉板１１が本体４に対して直角付近かそれより小さい角度までしか回動されていなかった場合、引き出された棚１２の隅角部は突部５１に当接することになる。これにより、透明板４４の内面に棚１２が衝突することが防止される。そして、突部５１は回動軸４７側が鈍角となるように傾斜して突出しているので、当接した棚１２により扉板１１、１１は図６中時計回りに回動されて押し開けられることになる。従って、そのまま棚１２は後方に移動させることで、支障無く扉９は完全に開放され、棚１２は陳列室８外に引き出されることになる。
【００４０】
尚、棚１２から取り出された総菜等の商品は、店舗のレンジ等で再加熱された後、顧客に供されることになる。
【００４１】
以上詳述したように、本発明によれば、本体４内に構成された陳列室８の開口８Ａを開閉自在に閉塞する回動式の扉９と、陳列室８内にスライド自在に架設された棚１２とを備えた下部ショーケース２において、棚１２を開口８Ａから陳列室８外まで引き出し可能としたので、実施例の如く下部ショーケース２が店舗のレジカウンタＲＣより少許低いか略同等の高さ寸法を有してレジカウンタＲＣに並設、若しくは、介設される場合にも、陳列室８内の棚１２に陳列した商品の出し入れ作業が容易となる。
【００４２】
この場合、棚１２が引き出されたときに当接する位置の扉９の内面には、当該扉９の扉板１１の回動軸４７側に鈍角を成して突出する突部５１を設けているので、扉９が半開きの状態で棚１２が陳列室８外に引き出されたときには、この突部５１に棚１２が当接することになる。これにより、扉板１１の透明板４４に引き出された棚１２の隅角部が衝突して傷が付く不都合も解消される。
【００４３】
また、突部５１は回動軸４７側に鈍角を成して扉９の内面から突出しているので、この突部５１に棚１２が当接することで、扉９は円滑に押し開けられることになり、棚１２の引き出し作業も円滑化される。
【００４４】
また、扉９を透明板４４と、この透明板４４の周囲を囲繞するサッシュ４６から構成し、突部５１を回動軸４７側のサッシュ４６の縦辺４６Ｂに一体に形成しているので、扉９の部品点数の削減と組立作業性の向上も図ることが可能となる。更に、突部５１を、サッシュ４６の内面を斜めに折曲することにより形成しているので、サッシュ４６の構造も簡素化される。尚、実施例の如く扉９は観音開き式の二枚の扉板１１から成るが、各扉板１１に突部５１が形成されているので、各扉板１１の傷つきを未然に回避することが可能である。
【００４５】
また、実施例の商品陳列装置１は、下部ショーケース２と、この下部ショーケース２の本体４上に載置されて当該本体４に連結される上部ショーケース３とから成り、下部ショーケース２は、店舗のレジカウンタＲＣより少許低いかと略同等の高さを有すると共に、下部ショーケース２の陳列室８は後面に開口８Ａを有し、レジカウンタＲＣに並設、若しくは、レジカウンタＲＣ間に介設されるので、レジカウンタＲＣの並びで下部ショーケース２により商品を陳列することが可能となり、また、陳列室８内の商品はレジカウンタＲＣの後側で出し入れすることが可能となる。これにより、販売効果を著しく改善することが可能となる。
【００４６】
このとき、上部ショーケース３は従来のレジカウンタＲＣ上に設ける場合と同様に配置されることになるので、店舗のレジの並びでも支障無く商品を陳列することが可能となるものである。
【００４７】
この場合、上部ショーケース３の下部後面に着脱可能なカバー２８を設け、前部が係合により、後部がネジ４２により下部ショーケース２の本体４に取り付けられる連結具３１にて本体４に連結するようにしているので、上部ショーケース３のカバー２８を取り外した状態で連結具３１の前部を係合し、その後、後部をネジ止めすることで、下部ショーケース２の本体４と上部ショーケース３との連結を極めて容易に行うことができるようになる。
【００４８】
また、連結具３１には、上部ショーケース３の台脚部３Ａの補強アングル３２を上から押えて上部ショーケース３の上下の移動を規制する押さえ部３４と、上部ショーケース３の台脚部３Ａ内面に沿って当該上部ショーケース３の前後及び左右への移動を規制する起立部３６、３７を設けているので、下部ショーケース２の本体４に対する上部ショーケース３のずれを防止し、両者を極めて安定的に連結することができるようになる。
【００４９】
尚、実施例では下部ショーケース２と上部ショーケース３とから成る商品陳列装置１の下部ショーケース２に請求項１乃至請求項４の発明を適用したが、それに限らず、陳列室外に引き出し可能とされた棚を備え、陳列室の開口を回動式の扉にて開閉する全てのショーケースに適用可能である。即ち、実施例の上部ショーケース３に適用してもよい。
【００５０】
また、請求項１乃至請求項３の発明では扉９も実施例の如き観音開き式のものに限らず、回動式の扉板一枚から成る扉にも適用可能である。更に、各ショーケース２、３の使用状態は実施例の常温、温蔵に限らず、上下のショーケース２、３のそれぞれで冷却する場合、加温する場合、常温で使用する場合の全ての組み合わせが可能であることは云うまでもない。但し、冷却する場合には周知の冷凍サイクルを搭載し、加温する場合には電気ヒータ等を搭載するものとする。
【符号の説明】
【００５１】
１  商品陳列装置
２  下部ショーケース（ショーケース）
３  上部ショーケース
４  本体
８  陳列室
８Ａ  開口
９  扉
１１  扉板
１２  棚
２８  カバー
３１  連結具
３２  補強アングル
３４  押さえ部
３６、３７  起立部
４２  ネジ
４４  透明板
４６  サッシュ
４７  回動軸
５１  突部
【図１】
2014142081.tif 000003
【図２】
2014142081.tif 000004
【図３】
2014142081.tif 000005
【図４】
2014142081.tif 000006
【図５】
2014142081.tif 000007
【図６】
2014142081.tif 000008
【図７】
2014142081.tif 000009